(57)【特許請求の範囲】
【請求項１】
視認側の主面において中央部が発光領域であり、該発光領域の外側の額縁状部分が非発光領域であるディスプレイパネルと、
前記ディスプレイパネルの視認側に、前記ディスプレイパネルの前記主面より大面積かつ相似形状の主面が前記ディスプレイパネルの前記主面に対向するように所定の距離をもって配設される透明前面板と、
前記ディスプレイパネルの視認側の主面上に、前記発光領域の外周に相当する位置近傍から内側に向かって、該ディスプレイパネルの発光を入射光とし前記透明前面板に向かって光を出射するように、額縁状に配設される第１のプリズムシートであって、
該出射光は前記透明前面板の前記主面の前記第１のプリズムシートの内周に相当する位置より内側には実質的に拡散せず、かつ少なくとも前記透明前面板の外周まで拡散するように設計された第１のプリズムシートと、
前記透明前面板の前記ディスプレイパネルに対向する主面上に前記透明前面板の外周の位置近傍を外周とし前記第１のプリズムシートの内周に対向する位置近傍を内周とし、前記第１のプリズムシートと１．６５〜９．９ｍｍの離間距離をもって配設される、額縁状の第２のプリズムシートまたは拡散板と、
を有する前面板付きディスプレイパネル。
【請求項２】
前記第２のプリズムシートの出射光が、視認側に向かって略直進する光である請求項１記載の前面板付きディスプレイパネル。
【請求項３】
平面型ディスプレイテレビに用いる請求項１または２に記載の前面板付きディスプレイパネル。
【発明の詳細な説明】
【技術分野】
【０００１】
本発明は、ディスプレイ装置に使用される前面板付きディスプレイパネルに関する。
【背景技術】
【０００２】
従来から、プラズマディスプレイ（ＰＤＰ）や液晶ディスプレイ（ＬＣＤ）等のフラットパネルディスプレイ（ＦＰＤ）装置では、表示パネルの前面に、「前面フィルタ」とも呼ばれるガラス製の前面板が設置されている。この前面板は、主として、周囲光の反射防止、ＦＰＤ装置の強度向上、およびＦＰＤ装置の衝撃破損防止等を目的として設置される。
【０００３】
また、このような前面板において、表示パネルの周辺部に存在する配線回路等が配置された非発光部を覆い隠し、美観を向上させるために、周辺領域の一部または全周に、額縁状の光遮蔽層がスクリーン印刷等で形成されたものが知られている（例えば、特許文献１参照）。ここで、最近の前面板には、このような額縁状の光遮蔽層に対してデザイン性や装飾性も要求されるようになり、一体感を持たせたデザインへの要求も高まっている。
【０００４】
このような一体感を持たせたデザインの一つとして、ＦＰＤ装置の点灯時において視認側から見た際に、ＦＰＤ装置の前面が全体に発光して見える、すなわち端部まで隈なく発光して見える技術の開発が望まれている。
【先行技術文献】
【特許文献】
【０００５】
【特許文献１】特開２００５−２４２２６５号公報
【発明の概要】
【発明が解決しようとする課題】
【０００６】
本発明は、消灯時においてＦＰＤの周辺部に配置された配線回路等が前面から視認されず一体化して見えるとともに、点灯時においてＦＰＤの前面を全体的に発光して見せることで、外周まで一体化した発光体と感じさせる前面板付きディスプレイパネルの提供を目的とする。
【課題を解決するための手段】
【０００７】
本発明の前面板付きディスプレイパネルは、視認側の主面において中央部が発光領域であり、該発光領域の外側の額縁状部分が非発光領域であるディスプレイパネルと、前記ディスプレイパネルの視認側に、前記ディスプレイパネルの前記主面より大面積かつ相似形状の主面が前記ディスプレイパネルの前記主面に対向するように所定の距離をもって配設される透明前面板と、前記ディスプレイパネルの視認側の主面上に、前記発光領域の外周に相当する位置近傍から内側に向かって、該ディスプレイパネルの発光を入射光とし前記透明前面板に向かって光を出射するように、額縁状に配設される第１のプリズムシートであって、該出射光は前記透明前面板の前記主面の前記第１のプリズムシートの内周に相当する位置より内側には実質的に拡散せず、かつ少なくとも前記透明前面板の外周まで拡散するように設計された第１のプリズムシートと、前記透明前面板の前記ディスプレイパネルに対向する主面上に前記透明前面板の外周の位置近傍を外周とし前記第１のプリズムシートの内周に対向する位置近傍を内周とし、前記第１のプリズムシートと１．６５〜９．９ｍｍの離間距離をもって配設される、額縁状の第２のプリズムシートまたは拡散板と、を有する。
【０００８】
本明細書において視認側とはディスプレイを視認する人間が存在する側をいう。その反対側を非視認側という。以下、ディスプレイパネルにおける２つ主面を視認側主面および非視認側主面という。透明前面板の２つの主面についても同様とする。
【発明の効果】
【０００９】
本発明によれば、消灯時においてＦＰＤの周辺部に配置された配線回路等が前面から視認されず一体化して見えるとともに、点灯時においてＦＰＤの前面を全体的に発光して見せることで、外周まで一体化した発光体と感じさせる前面板付きディスプレイパネルが提供できる。
【図面の簡単な説明】
【００１０】
【図１】本発明の前面板付きディスプレイパネルの実施形態の一例を示す平面図および断面図である。
【図２】図１に示す前面板付きディスプレイパネルの前面板をディスプレイパネル側から見た平面図および前面板上のプリズムシートの配置例を示す図である。
【図３】本発明の前面板付きディスプレイパネルの実施形態の別の一例における前面板をディスプレイパネル側から見た平面図および長辺方向の断面図である。
【図４】実施例に用いたプリズムシートの拡大断面図である。
【発明を実施するための形態】
【００１１】
本発明の前面板付きディスプレイパネルに係る実施の形態について、図面を参照しながら以下に説明する。なお、本発明は以下の実施の形態に限定されない。
【００１２】
図１は本発明の前面板付きディスプレイパネルの実施形態の一例を示す平面図および断面図である。図１（ａ）は、実施形態の一例の前面板付きディスプレイパネルを視認側から見た平面図であり、図１（ｂ）は、図１（ａ）に示す前面板付きディスプレイパネルの短辺方向の点灯時における断面図であり、黒色矢印は、光の進行方向を示す。
【００１３】
図１に示す本発明の実施形態の前面板付きディスプレイパネル１０は、視認側主面１ａにおいて中央部が発光領域であり、該発光領域の外側の額縁状部分が非発光領域であるディスプレイパネル１と、ディスプレイパネル１の視認側に、ディスプレイパネル１の視認側主面１ａより大面積かつ相似形状の非視認側主面２ｂがディスプレイパネル１の視認側主面１ａに対向するように所定の距離ｔをもって配設される透明前面板２を有する。図１（ｂ）において、ｗ１は発光領域の短辺方向の長さ（幅）を示し、ｗ２は非発光領域の幅を示す。
【００１４】
ディスプレイパネル１は視認側主面１ａ上に、発光領域の外周に相当する位置から内側に向かって、該ディスプレイパネル１の発光を入射光とし透明前面板２に向かって光を出射するように、額縁状（図１（ｂ）中、その幅をｗ３で示す。）に配設される第１のプリズムシート３を備える。第１のプリズムシート３からの出射光は透明前面板２の非視認側主面２ｂの第１のプリズムシート３の内周に相当する位置より内側には実質的に拡散せず、かつ少なくとも透明前面板２の外周まで拡散するように設計されている。
【００１５】
また、透明前面板２の非視認側主面２ｂ上に、透明前面板２の外周の位置近傍を外周とし前記第１のプリズムシートの内周に対向する位置近傍を内周とする額縁状の第２のプリズムシート４を有する。
【００１６】
従来のディスプレイ装置においては、ディスプレイパネルの中央に位置する発光領域（図１において、幅がｗ１で示される領域に相当する領域）が画像として視認されるいわゆる画像領域となる。これは、ＬＣＤのように通常、前面板を置かない設計であっても、ＰＤＰのように通常、電磁波遮蔽等の機能を有する前面板を配置する設計であっても、同様にディスプレイパネルの発光領域の略全領域を画像領域としている。またこの場合、発光領域の外側に存在する額縁状の非発光領域（図１において幅がｗ２で示される領域に相当する領域）は、筐体で額縁状に覆う、印刷等による暗色隠蔽枠を有する前面板を配設する等により視認側から隠蔽される設計となっている。
【００１７】
本発明の実施形態の前面板付きディスプレイパネル１０においては、ディスプレイパネル１の発光領域から、第１のプリズムシート３が占める領域を差し引いた領域の発光が透明前面板２を介して視認側で視認される画像領域Ｓとなる。図１(ａ)において、画像領域Ｓは、短辺の長さ（幅）がｗ４、長辺の長さがＬ１で示される領域である。透明前面板２の画像領域Ｓの外側の幅ｗ５で示される領域Ｆは、ディスプレイパネル１の視認側主面１ａ上に配設された第１のプリズムシート３の作用により、ディスプレイパネル１からの発光が拡散されて透明前面板に到達し視認側に透過する領域である。
【００１８】
これにより、該領域Ｆは、光量が画像領域Ｓに比べて低いものの全体として発光する低発光領域となり、点灯時において、この前面板付きディスプレイパネル１０を視認側から全体として発光して見える一体化した発光体と感じさせることができる。以下、必要に応じて透明前面板２の画像領域Ｓの外側の領域Ｆを低発光領域Ｆという。なお、低発光領域Ｆは、画像が鮮明に反映されない領域でもある。
本発明の実施形態の前面板付きディスプレイパネル１０は、消灯時においても、透明前面板２の非視認側主面２ｂ上の上記低発光領域Ｆに略対応する領域に配設された第２のプリズムシート４の作用により、ディスプレイパネル１の非発光領域が視認側から見て視認されず、低発光領域Ｆと画像領域Ｓとが一体化して見える。
【００１９】
以下、前面板付きディスプレイパネル１０が有する各構成要素について説明する。
ディスプレイパネル１としては、ＦＰＤ、具体的には、ＬＣＤ、ＰＤＰ、有機ＥＬ（Ｅｌｅｃｔｒｏｌｕｍｉｎｅｓｃｅｎｔ）ディスプレイ（ＯＥＬＤ）等の通常、ＦＰＤ装置に用いられるＦＰＤ等が特に制限なく挙げられる。
【００２０】
ディスプレイパネル１の大きさとしては特に制限されないが、上記の通り第１のプリズムシート３が配設される領域に対応して画像領域が小さくなることから、この影響が問題にならない大きさのディスプレイパネル１が好適である。第１のプリズムシート３の幅ｗ３にもよるが、ディスプレイパネル１の大きさとしては発光領域の大きさとして、図１（ｂ）のｗ１にあたる短辺が２３６ｍｍ以上、長辺が４２０ｍｍ以上、対角長が４８２ｍｍ以上の矩形形状のディスプレイパネル１が好ましい。より好ましくは、短辺が３９８ｍｍ以上、長辺が７０８ｍｍ以上、対角長が８１２ｍｍ以上である。ディスプレイパネル１の短辺および長辺の上限は特にはないが、短辺が１，９５５ｍｍ、長辺が３,４７６ｍｍ、対角長４，０００ｍｍを上限とできる。
【００２１】
また、ディスプレイパネル１における非発光領域の幅ｗ２は、２０ｍｍ以下が好ましく、１０ｍｍ以下がより好ましい。非発光領域の幅ｗ２の下限は特に制限されない。
【００２２】
ディスプレイパネル１の視認側主面１ａ上に、発光領域の外周に相当する位置から内側に向かって額縁状に設けられる第１のプリズムシート３は、ディスプレイパネル１の発光領域の最も外側の部分の発光を利用して、これを実質的に内側には拡散させずかつ透明前面板２の少なくとも外周にまで拡散させて、透明前面板２の額縁状の低発光領域Ｆを形成するように設計されるものであれば特に制限されない。
【００２３】
第１のプリズムシート３は、その外周が発光領域の外周に相当する位置の近傍、具体的には、発光領域の外周から内側または外側にそれぞれ２ｍｍ以下の範囲にあるように、好ましくは発光領域の外周に相当する位置に一致するように設けられる。図１（ｂ）においてｘ１は、この断面におけるディスプレイパネル１の発光領域の外周の位置および第１のプリズムシート３の外周の位置を示す。ｘ２は第１のプリズムシート３の内周の位置を示す。ｘ３は透明前面板２の外周の位置を示し、ｘ４は、ディスプレイパネル１の視認側主面上のｘ２の位置に対向する透明前面板２の非視認側主面２ｂ上の位置を示す。
【００２４】
すなわち、第１のプリズムシート３は、全幅ｗ３に亘ってディスプレイパネル１の発光領域から視認側に向かって直進する発光を受光可能なように設けられる。第１のプリズムシート３は、ディスプレイパネル１側からの入射光が第１のプリズムシート３を透過して出射する際に上に示す範囲に拡散するように設計される。具体的には、図４に断面を示す実施例で用いたプリズムシートのように、入射光を直進または所望の角度に屈折させるように三角形の配置と傾斜の角度を調整することで設計可能である。
【００２５】
ここで、第１のプリズムシート３からの出射光を角度で示すと、内側の端ではディスプレイパネル１の視認側主面１ａに対して直交する角度、すなわち略９０度で視認側に直進する。言い換えると第１のプリズムシート３の内周の位置ｘ２から、これに対向する透明前面板２の非視認側主面２ｂ上の位置ｘ４に出射光が直進し、ｘ４より内側には光が実質的に拡散しない。ここで、ｘ４より内側には光が実質的に拡散しないとは、ｘ４より内側において画像が十分に鮮明に視認できる程度に光の拡散がないことを意味する。
【００２６】
また、第１のプリズムシート３からの出射光の角度は、外側の端では、外側に向かう光のディスプレイパネル１の視認側主面１ａに対する角度が第１のプリズムシート３の外周の位置ｘ１と透明前面板２の外周の位置ｘ３を結ぶ直線とディスプレイパネル１の視認側主面１ａがなす角（以下、「θ」で示す。）と略同じ角度であることが好ましい。この光の角度がθより小さいと透明前面板２に到達する光の量が減少し好ましくない。この光の角度がθより大きいと透明前面板２の外周まで光が拡散せず、低発光領域Ｆの外側を光って見せることができず、前面板付きディスプレイパネル１０を一体化した発光体と感じさせることができない。
【００２７】
第１のプリズムシート３は、入射光を上記の範囲に拡散できる限り、大きさは特に制限されない。ただし、第１のプリズムシート３の幅ｗ３は、第１のプリズムシート３を設ける領域分だけ画像領域が小さくなることから、できる限り小さいことが好ましい。具体的には、第１のプリズムシート３の幅ｗ３は、１〜２０ｍｍが好ましく、３〜１０ｍｍがより好ましい。第１のプリズムシート３の高さは、透明前面板２はその非視認側主面２ｂとディスプレイパネル１の視認側主面１ａとの距離ｔにもよるが、０．０２〜０．３ｍｍが好ましく、０．０５〜０．１５ｍｍがより好ましい。
【００２８】
第１のプリズムシート３の材質は特に制限されない。具体的には、ガラス、透明樹脂、光拡散樹脂等が挙げられる。また、光の拡散の設計が適合すれば市販品を用いてもよい。
【００２９】
典型的なプリズムシートは一定厚さの基材の一方の主面上に柱状単位のプリズムが稜線を互いに平行に一定間隔をおいて複数配列された構成を有し、例えば、図４に示されるような拡大断面を有する。このようなプリズムシートは、通常、一定の幅と長さをもって成形され、使用に際して所望のサイズに切断されて用いられる。第１のプリズムシート３のディスプレイパネル１の視認側主面１ａ上への配設は、予め所定のサイズに切断されたプリズムシートを、該プリズムシート上のプリズムの稜線がディスプレイパネル１の各辺とそれぞれ平行するように額縁状に所定の位置に配設することで行われる。第１のプリズムシート３のディスプレイパネル１の視認側主面１ａ上への配設は、また、接着性、光学特性、耐久性等を考慮して適宜選択される、接着剤、粘着剤等を介して行われる。粘着剤の場合、再剥離性（リワーク性）粘着剤が好ましい。なお、市販のプリズムシート等には粘着剤付きのものがあるので、それをそのまま用いてもよい。
【００３０】
透明前面板２の材質としては、透明であってディスプレイパネル１の視認側に配置された際に、視認側から見た画質が、透明前面板２がない場合に比べて遜色ないものであれば特に制限なく使用できる。さらに必要に応じて、ディスプレイパネル１を衝撃から保護するための剛性を有するものの使用が好ましい。このような材料としては、ガラス、例えば、ソーダライムガラス、化学強化ガラス等や透明樹脂、例えば、ポリカーボネート樹脂、ポリスチレン樹脂、芳香族ポリエステル樹脂、アクリル樹脂、ポリエステル樹脂、ポリアリレート樹脂、ハロゲン化ビスフェノールＡとエチレングリコールとの重縮合物、アクリルウレタン樹脂、ハロゲン化アリール基含有アクリル樹脂等が挙げられる。
【００３１】
これらのうちでも、価格、加工性、質感の観点からはガラスが好ましい。また、以下の第２のプリズムシート４との一体加工が可能な点からアクリル樹脂等の透明樹脂が好ましい。
【００３２】
透明前面板２の光学特性としては、可視光透過率Ｔｖが９０％以上、可視光反射率Ｒｖが１０％以下、ヘイズ（曇価）が１％以下、ＪＩＳ  Ｚ８７０１（１９９９年）に定義されるＸＹＺ表色系における色座標（ｘ，ｙ）が、（ｘ，ｙ）＝（０．３１０±０．１００，０．３１７±０．１００）が好ましい。透明前面板２は、人が視認する際に画像に影響を与えない範囲で着色されていてもよい。
【００３３】
透明前面板２の形状は両方の主面が平坦な板状であり、その厚さは、０．３ｍｍ〜２０ｍｍが好ましく、０．７〜１０ｍｍがより好ましく、１．１〜５ｍｍが特に好ましい。０．３ｍｍ以上であることによりディスプレイパネル１を衝撃から十分に保護することができる。２０ｍｍ以下であることで、透明前面板２の重量を軽くできる。
透明前面板２の両主面２ａ、２ｂの形状は、ディスプレイパネル１の両主面１ａ、１ｂと相似形状であって、大きさはディスプレイパネル１の両主面１ａ、１ｂの大きさより大きく設計される。透明前面板２の大きさは、短辺においてディスプレイパネル１の短辺よりも１〜２０ｍｍ大きいことが好ましく、２〜１０ｍｍ大きいことがより好ましい。また、透明前面板２の長辺は、ディスプレイパネル１の長辺よりも１〜２０ｍｍ大きいことが好ましく、２〜１０ｍｍ大きいことがより好ましい。
なお、透明前面板２の外周部は、通常の方法により、面取り加工されていることが好ましい。
【００３４】
透明前面板２は、その非視認側主面２ｂとディスプレイパネル１の視認側主面１ａとの距離ｔが、好ましくは０．５〜１５ｍｍ、より好ましくは２〜１０ｍｍとなるように設けられる。
【００３５】
透明前面板２の非視認側主面２ｂ上に透明前面板２の外周の位置ｘ３近傍を外周とし、第１のプリズムシート３の内周に対向する位置ｘ４近傍を内周として、設けられる額縁状の第２のプリズムシート４は、第１のプリズムシート３が拡散した光を受光し、視認側に出射する機能を有するものであれば特に制限されない。このような第２のプリズムシート４を設けることで、点灯時において、視認側から見た際に画像領域Ｓとその外側の幅ｗ５の低発光領域Ｆの全体が発光して一体化して視認可能となる。なお、以下に説明する通り、第２のプリズムシート４の幅は、低発光領域Ｆの幅ｗ５と略同等であり、これにより、消灯時において、視認側から見てディスプレイパネル１の非発光領域が視認されず、低発光領域Ｆと画像領域Ｓとが一体化して見える。また、消灯時においては、第２のプリズムシート４の作用により透明前面板２が立体的に見え、意匠性が増し好ましい。
【００３６】
第２のプリズムシート４の外周の位置は、透明前面板２の外周の位置ｘ３から内側に５ｍｍまでの範囲に設けられることが好ましく、透明前面板２の外周部が面取り加工されていない場合は、透明前面板２の外周の位置ｘ３と同じ位置に設けられることが特に好ましい。透明前面板２の外周部が面取り加工されている場合には、透明前面板２の非視認側主面２ｂの平面が外周部で曲率する境界と同じ位置に設けられることが特に好ましい。
【００３７】
第２のプリズムシート４の内周の位置は、第１のプリズムシート３の内周に対向する位置ｘ４の近傍、具体的には、第１のプリズムシート３の内周に対向する位置ｘ４から内側または外側にそれぞれ３ｍｍ以下の範囲にあるように、好ましくは第１のプリズムシート３の内周に対向する位置ｘ４に一致するように設けられる。図１に示す前面板付きディスプレイパネル１０においては、第２のプリズムシート４の外周は透明前面板２の外周の位置ｘ３と同じ位置に、内周は第１のプリズムシート３の内周に対向する位置ｘ４と同じ位置に設けられている。この場合、第２のプリズムシート４の幅は、上記低発光領域Ｆの幅ｗ５と等しい。
【００３８】
なお、第２のプリズムシート４からの出射光は、視認側に向かって出射されていればよく、好ましくは視認側に略直進する光、具体的には、透明前面板２の視認側主面２ａと光路のなす角が９０度±３度、より好ましくは、透明前面板２の視認側主面２ａに対して直交する光である。出射光の角度は、第２のプリズムシート４を、従来公知の方法で適宜設計することで調整できる。第２のプリズムシート４は、具体的には、第１のプリズムシート３を介して受光した光が、第２のプリズムシート４を透過し出射する際に、上記角度で透明前面板２の非視認側主面２ｂから入射し視認側主面２ａから出射するように設計される。
【００３９】
第２のプリズムシート４の大きさについて、幅は、第１のプリズムシート３の幅、透明前面板２の大きさ、ディスプレイパネル１の視認側主面１ａと透明前面板２の非視認側主面２ｂとの距離ｔ等によりほぼ決定される。第２のプリズムシート４の高さは、第１のプリズムシート３の高さおよび第２のプリズムシート４が上記機能を有する限り特に制限されない。ディスプレイパネル１の視認側主面１ａと透明前面板２の非視認側主面２ｂとの距離ｔに応じて適宜選択される。第２のプリズムシート４の高さは、具体的には、０．０２〜０．３ｍｍが好ましく、０．０５〜０．２ｍｍがより好ましい。
【００４０】
第２のプリズムシート４の材質は特に制限されない。具体的には、ガラス、透明樹脂、拡散樹脂等が挙げられる。また、光の拡散の設計が適合すれば市販品を用いてもよい。
【００４１】
第２のプリズムシート４の透明前面板２の非視認側主面２ｂ上への配設は、接着性、光学特性、耐久性等を考慮して適宜選択される、接着剤、粘着剤等を介して行われる。
作業性、耐久性の観点から好ましくは、拡散接着、拡散粘着が用いられる。拡散接着、拡散粘着とは光散乱をさせるためのフィラーを混入した、接着もしくは粘着材料をいう。粘着剤の場合、再剥離性（リワーク性）を有するのはさらに好ましい。なお、市販のプリズムシート等には粘着剤付きのものがあるので、それをそのまま用いてもよい。
【００４２】
図２は、図１に示す前面板付きディスプレイパネル１０の透明前面板２をディスプレイパネル１側から見た平面図および透明前面板２の非視認側主面２ｂ上の第２のプリズムシート４の配置例を示す図である。第２のプリズムシート４は上に説明したように額縁状に設けられる。具体的には、第２のプリズムシート４についても、第１のプリズムシート３と同様に、予め所定のサイズに切断されたプリズムシートを、該プリズムシート上のプリズムの稜線が透明前面板２の各辺とそれぞれ平行となるように額縁状に所定の位置に配設される。
【００４３】
この際、４隅で長辺側のプリズムシートと短辺側のプリズムシートが接合される。４隅での接合の方法は、意匠性を考慮して、図２（ｂ１）に示すように短辺側に配設される第２のプリズムシート４と長辺側に配設される第２のプリズムシート４の端部を外周端に比べて内周端が短くなるように断辺の角度が４５度となるようにそれぞれ切断して、断片を接合する方法が好ましい。または、図２（ｂ２）に示すように、例えば短辺側の第２のプリズムシート４を透明前面板２の外周まで届く長さに、長辺側の第２のプリズムシート４は、短辺側の第２のプリズムシート４に達する位置までの長さにそれぞれ切断し接合してもよい。
【００４４】
なお、図２（ｂ２）においては、短辺側の第２のプリズムシート４を透明前面板２の外周まで届く長さに切断しているが、これとは、逆に、長辺側の第２のプリズムシート４を透明前面板２の外周まで届く長さに切断し、短辺側の第２のプリズムシート４を長辺側の第２のプリズムシート４に達する位置までの長さに切断し接合してもよい。ここで、第１のプリズムシート３における４隅のプリズムシートの接合の形についても、第２のプリズムシート４における、図２（ｂ１）、図２（ｂ２）等に示される形と同様にできる。前面板付きディスプレイパネル１０において、第２のプリズムシート４の４隅の接合形状と第１のプリズムシート３の接合形状とは同じ接合形状とすることが好ましい。
【００４５】
本発明の実施形態の前面板付きディスプレイパネル１０においては、求められる仕様に応じて第２のプリズムシート４に変えて拡散板を用いてもよい。拡散板を用いる場合、その大きさ（幅）、透明前面板２の非視認側主面２ｂ上への配設位置、接着等の方法は、第２のプリズムシート４と同様とできる。
拡散板としては、光を拡散する機能を有する板状成形物であれば特に制限されず、具体的には、乳白色フィルム、トレーシングフィルム、ノングレアフィルム等が挙げられる。拡散板の材質としては、ポリエチレンテレフタレート（ＰＥＴ）、アクリル樹脂等が挙げられる。拡散板の厚さは、０．０２５〜１ｍｍが好ましく、０．０５〜０．２ｍｍがより好ましい。また、拡散の能力を示すヘイズ値が２０〜９０％が好ましく、５０〜８０％がより好ましい。
【００４６】
本発明の実施形態の前面板付きディスプレイパネルにおいて、透明前面板には、さらに、各種機能を有する膜が単層でまたは積層して設けられていてもよい。図３に、本発明の前面板付きディスプレイパネルの実施形態の別の一例における透明前面板のディスプレイパネル側から見た平面図および長辺方向の断面図を示す。
図３（ｂ）に示す通り、この実施形態においては、透明前面板２は視認側主面２ａ上に機能膜５を有する。また、この実施形態においては、透明前面板２は外周部が面取り加工されている。よって、第２のプリズムシート４の外周は、透明前面板２の外周の位置より、やや内側、具体的には、上に示した範囲内に位置している。この場合であっても、ディスプレイパネル１および第１のプリズムシート３の設計は上記と同様にでき、画像領域Ｓ（長辺方向の長さがＬ１で示される領域）の外側の幅ｗ５の額縁状領域の発光は、画像領域Ｓに比べて低いものの全体として発光する低発光領域となる。
【００４７】
このような機能膜５は、特に、ディスプレイパネル１がＰＤＰである場合、少なくとも近赤外線遮蔽機能を有する膜として設けられることが好ましい。機能膜５が有する各種機能としては、近赤外線遮蔽機能以外に、例えば、電磁波遮蔽機能、色調機能、反射防止機能、コントラスト向上機能、防眩機能（アンチグレア機能）等が挙げられる。機能膜５については、従来公知の方法で形成可能である。また、機能膜５が形成される透明前面板２の主面については、必要に応じて非視認側主面２ｂであってもよく、両方の主面に形成されてもよい。なお、機能膜５が形成される領域は、非視認側主面２ｂにおいては第２のプリズムシートまたは拡散板の配設される領域の内側全体（図３（ｂ）においてＬ１で示す範囲）が、視認側主面２ａにおいては透明前面板最外周までとするのが好ましい。
【００４８】
以上、本発明の実施形態の例示として前面板付きディスプレイパネル１０について説明したが、本発明の前面板付きディスプレイパネルの構成はこれらに限定されず、本発明の趣旨に反しない限度において、要求特性等に応じて適宜変更できる。
【００４９】
本発明の前面板付きディスプレイパネルの用途としては、画像領域が若干小さくなることが許容でき、ディスプレイを一体化して見せる特性を活かせる用途として、平面型ディスプレイテレビが挙げられる。本発明の前面板付きディスプレイパネルは、特に大型の平面型ディスプレイテレビに好適に用いられる。
【実施例】
【００５０】
以下、本発明の実施例について説明する。なお本発明はこれら実施例に限定されない。
【００５１】
（例１）
図１に示される構成の前面板付きディスプレイパネルを評価するための試験用サンプルを作製して、点灯時および消灯時における意匠性を評価した。
ディスプレイパネル１として、市販のＬＣＤパネル（発光領域（以下、「本来の発光領域」という。）：３１４ｍｍ×５１９ｍｍ）の、本来の発光領域の外周から内側に、幅２０ｍｍの黒色遮光テープを貼付することでマスキングし、発光領域（図１中、ｗ１で示される。以下、単に発光領域という。）を２７４ｍｍ×４７９ｍｍに調整したものを準備した。
【００５２】
なお、上記マスキングの内側の幅１０ｍｍの額縁状領域は、図１に示される構成の前面板付きディスプレイパネルにおける非発光領域（図１中、ｗ２で示される）に相当する。すなわち、例１においては、上記発光領域と非発光領域を含むディスプレイパネル１の全体の大きさとして、２９４ｍｍ×４９９ｍｍのサイズを想定した。また、上記マスキングの外側の１０ｍｍは、ディスプレイパネル１が存在しない部分を想定するために、本来の発光領域の発光をマスキングしたものである。
【００５３】
このように試験用に作製されたディスプレイパネル１において、幅１０ｍｍの額縁状の非発光領域の内側に、非発光領域の内周と第１のプリズムシート３の外周が一致するようにして、幅１０ｍｍの第１のプリズムシート３を貼付した。具体的には、図４に拡大断面図を示すプリズムシートを幅１０ｍｍとなるように予め切断し、第１のプリズムシート３として、プリズムの稜線がディスプレイパネル１の各辺に平行に、かつプリズム三角形の傾斜が急な辺が外側になるように上記の位置に配置して、透明粘着シート（２５μｍ厚み）によって接着した。なお、４隅の接合形状は、図２（ｂ１）で示される形状とした。第１のプリズムシートは、波長５８９ｎｍにおける屈折率が１．５１の有沢製作所製のプリズムシートであった。
【００５４】
透明前面板２として、縦３１４ｍｍ、横５１９ｍｍ、厚さ２ｍｍのガラス基板を準備した。透明前面板２の大きさは、ディスプレイパネル１の発光領域の大きさより、縦、横ともに６０ｍｍ大きく、両者を組み合わせて用いた場合に、透明基板２の外周が片側でディスプレイパネル１の発光領域の外周から３０ｍｍ、非発光領域の外周から１０ｍｍ外側に位置する構成であった。
【００５５】
第２のプリズムシート４として、図４に示すプリズムシートを幅３０ｍｍとなるように予め切断したものを、透明前面板２の外周の位置を外周として、透明前面板２の各辺にプリズムの稜線が平行に、かつプリズム三角形の傾斜が緩やかな辺が外側になるように配置して、透明粘着シート（２５μｍ厚み）によって接着した。なお、４隅の接合形状は、図２（ｂ１）で示される形状とした。
【００５６】
透明前面板２を、その中心がディスプレイパネル１の中心と同じ位置になるようにして、ディスプレイパネル１の視認側主面１ａと透明前面板２の非視認側主面２ｂの距離ｔが５ｍｍとなるように設置して、前面板付きディスプレイパネル１０Ａを得た。前面板付きディスプレイパネル１０Ａにおいては、画像領域Ｓは、２５４ｍｍ×４５９ｍｍであり、低発光領域Ｆの幅ｗ５は第２のプリズムシート４の幅と同様の３０ｍｍであった。
【００５７】
得られた前面板付きディスプレイパネル１０Ａのディスプレイパネル１を点灯して視認側から透明前面板２の発光の状態を観察した。結果は、中央の画像領域Ｓ（２５４ｍｍ×４５９ｍｍ）においては、透明前面板２がない状態と同様の画像が見られた。また、画像領域Ｓの外側の低発光領域Ｆは、画像領域Ｓと比べて弱い光量で全体が発光しているように見えた。また、消灯時には、視認側から見てディスプレイパネル１の非発光領域が視認されず、低発光領域Ｆと画像領域Ｓとが一体化して見えるととともに第２のプリズムシート４の作用により透明前面板２が立体的（広幅面取りのよう）に見え、意匠性が増していた。
【００５８】
（例２）
ディスプレイパネル１として、例１と同様にして、市販のＬＣＤと黒色遮光テープを用いて、中央部に２７４ｍｍ×４７９ｍｍの発光領域を有し、その外側に額縁状に１０ｍｍの非発光領域を有するディスプレイパネル（相当品）を準備した。このディスプレイパネル１に第１のプリズムシート３を例１と同様に接着した。透明前面板２として、縦２９８ｍｍ、横５０３ｍｍ、厚さ２ｍｍのガラス基板を準備した。透明基板２の大きさは、ディスプレイパネル１の発光領域の大きさより、縦、横ともに２４ｍｍ大きく、両者を組み合わせて用いた場合に、透明基板２の外周が片側でディスプレイパネル１の発光領域の外周から１２ｍｍ、非発光領域の外周から２ｍｍ外側に位置する構成であった。第２のプリズムシート４の幅を２２ｍｍとした以外は例１と同様にして透明基板２に第２のプリズムシート４を接着した。
【００５９】
透明前面板２を、その中心がディスプレイパネル１の中心と同じ位置になるようにして、ディスプレイパネル１の視認側主面１ａと透明前面板２の非視認側主面２ｂの距離ｔが５ｍｍとなるように設置して、前面板付きディスプレイパネル１０Ｂを得た。前面板付きディスプレイパネル１０Ｂにおいては、画像領域Ｓは、２５４ｍｍ×４５９ｍｍであり、低発光領域Ｆの幅ｗ５は第２のプリズムシート４の幅と同様の２２ｍｍであった。
【００６０】
得られた前面板付きディスプレイパネル１０Ｂのディスプレイパネル１を点灯して視認側から透明前面板２の発光の状態を観察した。結果は、中央の画像領域Ｓ（２５４ｍｍ×４５９ｍｍ）においては、透明前面板２がない状態と同様の画像が見られた。また、画像領域Ｓの外側の低発光領域Ｆは、画像領域Ｓと比べて弱い光量で全体が発光しているように見えた。また、消灯時には、視認側から見てディスプレイパネル１の非発光領域が視認されず、隠蔽効果を有していた。また、第２のプリズムシート４の作用により透明前面板２が立体的に見え、意匠性が増していた。
【００６１】
（例３）
例２において、第２のプリズムシート４を同サイズの拡散板（厚さ０．１ｍｍ、有沢製作所製、ヘイズ値５０％）に変えた以外は例２と全く同様にして、前面板付きディスプレイパネル１０Ｃを得た。前面板付きディスプレイパネル１０Ｃにおいては、画像領域Ｓは、２５４ｍｍ×４５９ｍｍであり、低発光領域Ｆの幅ｗ５は拡散板の幅と同様の２２ｍｍであった。
【００６２】
得られた前面板付きディスプレイパネル１０Ｃのディスプレイパネル１を点灯して視認側から透明前面板２の発光の状態を観察した。結果は、中央の画像領域Ｓ（２５４ｍｍ×４５９ｍｍ）においては、透明前面板２がない状態と同様の画像が見られた。また、画像領域Ｓの外側の低発光領域Ｆは、画像領域Ｓと比べて弱い光量で、例２の低発光領域Ｆに比べても弱い光量で、概ね全体が発光しているように見えた。また、消灯時には、視認側から見てディスプレイパネル１の非発光領域が視認されなかった。
【００６３】
（例４）
例２において、第２のプリズムシート４を、拡散粘着シート（２５μｍ厚さ、ヘイズ値７５％、ＴＤ０６Ｄ０１７５（商品名、ＴＯＭＯＥＧＡＷＡ製））によって拡散接着した以外は例２と全く同様にして、前面板付きディスプレイパネル１０Ｄを得た。前面板付きディスプレイパネル１０Ｄにおいては、画像領域Ｓは、２５４ｍｍ×４５９ｍｍであり、低発光領域Ｆの幅ｗ５は第２のプリズムシート４の幅と同様の２２ｍｍであった。
【００６４】
得られた前面板付きディスプレイパネル１０Ｄのディスプレイパネル１を点灯して視認側から透明前面板２の発光の状態を観察した。結果は、中央の画像領域Ｓ（２５４ｍｍ×４５９ｍｍ）においては、透明前面板２がない状態と同様の画像が見られた。また、画像領域Ｓの外側の低発光領域Ｆは、画像領域Ｓと比べて弱い光量で全体が例１〜例３に比べてムラなく発光しているように見えた。また、消灯時には、視認側から見てディスプレイパネル１の非発光領域が視認されず、隠蔽効果を有していた。
【産業上の利用可能性】
【００６５】
本発明は、例えば、液晶ディスプレイ、プラズマディスプレイ、有機ＥＬディスプレイ等を用いたＦＰＤ装置に適用でき、特に大型テレビ用のＦＰＤ装置に好適である。
【符号の説明】
【００６６】
１０…前面板付きディスプレイパネル、１…ディスプレイパネル、２…透明前面板、３…第１のプリズムシート、４…第２のプリズムシート、５…機能膜
【図１】
0005849776.tif 000002
【図２】
0005849776.tif 000003
【図３】
0005849776.tif 000004
【図４】
0005849776.tif 000005